(57)【要約】【課題】採寸作業を効率化できる採寸図の作成方法を提供する。【解決手段】建物１の外壁パネルを施工するためのプレカット工法に適用され、外壁パネルの形状の加工に用いられる加工図を作成するために、測定に必要な採寸箇所が指定されている採寸図の作成方法であって、建物１の立面図に対して、外壁パネルを割り付けるための格子状の割付線６を設定する工程と、割付線６から測定の基準となる基本基準線９，１０，１１を選択する工程と、同一平面にある壁を採寸予定図として立面図上で指定する工程と、採寸予定図を取り出す工程と、基本基準線を基準として採寸箇所を指定する工程と、を有する。【選択図】図１
2014066088.tif 000002
【特許請求の範囲】
【請求項１】
建物の外壁パネルを施工するためのプレカット工法に適用され、前記外壁パネルの形状の加工に用いられる加工図を作成するために、測定に必要な採寸箇所が指定されている採寸図の作成方法であって、
前記建物の立面図に対して、前記外壁パネルを割り付けるための格子状の割付線を設定する第１の工程と、
前記割付線から測定の基準となる採寸基準線を選択する第２の工程と、
同一平面にある壁を採寸予定図として前記立面図上で指定する第３の工程と、
前記採寸予定図を取り出す第４の工程と、
前記採寸基準線を基準として前記採寸箇所を指定する第５の工程と、を有することを特徴とする採寸図の作成方法。
【請求項２】
前記第４の工程は、水平方向の前記採寸基準線に沿って、前記採寸予定図を横方向に平行移動させて取り出すことを特徴とする請求項１に記載の採寸図の作成方法。
【発明の詳細な説明】
【技術分野】
【０００１】
本発明は、建物の外壁パネルを施工するためのプレカット工法に適用される採寸図の作成方法に関する。
【背景技術】
【０００２】
従来、サイディング材といった建物の外壁パネルは、建築現場で必要に応じて切断された後に外壁面に取り付けられている。しかし、外壁パネルの建築現場での加工は騒音や粉じんの発生が問題となるため、近年では、外壁パネルを予め所定の形状に工場で加工した後に建築現場へ搬入して外壁面に取り付けるプレカット工法が検討されている。
【０００３】
プレカット工法に関する技術として、特許文献１がある。特許文献１には、サイディング材の切断加工を建築現場で実施することなく外壁面へサイディング材を取り付けることが可能な方法が記載されている。この方法によれば、まず、柱又は梁といった建物の基本構造物を基準として、基本構造物から窓枠や玄関といった建具までの寸法を測定する。その後、外壁面におけるサイディング材の割り付けが決定されると、それぞれの割付位置におけるサイディング材の形状を示す寸法が、測定した寸法に基づいて自動的に決定される。そして、サイディング材を切断加工するための加工図が自動的に出力される。
【先行技術文献】
【特許文献】
【０００４】
【特許文献１】特開２０１２―４１７５４号公報
【発明の概要】
【発明が解決しようとする課題】
【０００５】
特許文献１に記載されたプレカット工法では、サイディング材の加工図を作成するために、建築現場において実際の建物の寸法を測定している。この測定では、柱又は梁といった建物の基本構造物を基準として建具の高さ及び幅などに関する寸法の測定を行っている。しかしながら、基本構造物を基準とする寸法の測定によれば、測定のための基準を選択する自由度が低いため、複雑な形状を有する建物の採寸作業が煩雑になり、採寸作業の効率が悪くなる虞がある。
【０００６】
そこで、本発明は、採寸作業を効率化できる採寸図の作成方法を提供することを目的とする。
【課題を解決するための手段】
【０００７】
本発明に係る採寸図の作成方法は、建物の外壁パネルを施工するためのプレカット工法に適用され、外壁パネルの形状の加工に用いられる加工図を作成するために、測定に必要な採寸箇所が指定されている採寸図の作成方法であって、建物の立面図に対して、外壁パネルを割り付けるための格子状の割付線を設定する第１の工程と、割付線から測定の基準となる採寸基準線を選択する第２の工程と、同一平面にある壁を採寸予定図として立面図上で指定する第３の工程と、採寸予定図を取り出す第４の工程と、採寸基準線を基準として採寸箇所を指定する第５の工程と、を有する。
【０００８】
上述した採寸図の作成方法は、格子状に設定された割付線から採寸基準線を選択するため、基本構造物を基準線として設定する方法と比較して採寸基準線の選択の自由度が高まる。このため、加工図を作成するために寸法測定が必要な箇所の構造に応じて、寸法測定がより容易に実施可能な採寸基準線を選択することができる。従って、寸法測定が簡易に実施できるように選択された採寸基準線に基づく寸法測定が可能となるため、採寸作業を効率化することができる。また、同一平面にある壁を採寸予定図として取り出しているので、採寸図上で採寸予定図の全体形状を示すことが可能になる。これにより、全体形状が示されている壁の採寸予定図と、一部又は全部が隠れている壁の採寸予定図とを一つの採寸図に示すことができる。従って、建物の寸法測定に必要な採寸図の枚数を低減できるので、採寸作業を更に効率化することができる。
【０００９】
また、第４の工程は、水平方向の採寸基準線に沿って、採寸予定図を横方向に平行移動させて取り出す。これによれば、横方向に採寸予定図を取り出した後であっても、採寸予定図の縦方向の寸法は水平方向の採寸基準線を基準として測定することができる。従って、共通する採寸基準線に沿って取り出された採寸予定図の寸法を、共通する採寸基準線を基準として測定することができるので、採寸作業を更に効率化することができる。
【発明の効果】
【００１０】
本発明によれば、採寸作業を効率化することができる。
【図面の簡単な説明】
【００１１】
【図１】本発明の採寸図の作成方法の主要な工程を示すフロー図である。
【図２】立面図に割付線を設定した画面の表示状態を示す図である。
【図３】採寸基準線を選択した画面の表示状態を示す図である。
【図４】同一平面上にある二階壁を採寸予定図として指定した画面の表示状態を示す図である。
【図５】二階壁を示す採寸予定図を取り出した画面の表示状態を示す図である。
【図６】同一平面上にあるベランダ内側の腰壁を採寸予定図として指定した画面の表示状態を示す図である。
【図７】ベランダ内側の腰壁を示す採寸予定図を取り出した画面の表示状態を示す図である。
【図８】同一平面上にあるベランダ外側の腰壁及び一階壁を採寸予定図として指定した画面の表示状態を示すである。
【図９】ベランダ外側の腰壁及び一階壁を示す採寸予定図を取り出した画面の表示状態を示す図である。
【図１０】採寸箇所を指定した画面の表示状態を示す図である。
【発明を実施するための形態】
【００１２】
以下、図面を参照しつつ本発明に係る採寸図の作成方法の好適な実施形態について詳細に説明する。
【００１３】
本実施形態の採寸図の作成方法は、建物の外壁に取り付けられる外壁パネルのプレカット工法に適用される。外壁パネルには、例えば、サイディング材や軽量気泡コンクリート製パネル（旭化成建材（株）製、商品名へーベルパワーボード）等を用いることができる。また、本実施形態に用いられる外壁パネルの寸法は、一例として幅が１８２０ｍｍであり高さが６０６ｍｍであるが、この寸法に限定されることはない。
【００１４】
なお、本実施形態の採寸図の作成方法は、コンピュータプログラムとして実行される。コンピュータとして、ＣＰＵを具備しソフトウエアによる処理や制御を行なうサーバ装置、パーソナルコンピュータ等の各種データ処理装置を含む。
【００１５】
図１に示すように、建物全体が示された平面図及び立面図のデータをコンピュータ内に取り込む（Ｓ１）。図２には、二階の戸建て住宅である建物１が画面に示されている。建物１は、一階に設けられた窓２と、二階に設けられた窓３及びベランダ４とを有している。建物１の外壁への外壁パネルの割り付けを、平面図に示された柱の位置に基づいて平面図上で実施する。ここで、外壁パネルの割り付けとは、外壁面における個々の壁パネルの取付位置を決定することをいう。
【００１６】
平面図に基づいて割り付けを実施した後に、その結果に基づいて、建物１の立面図に対して割付線を設定する（Ｓ２）。この立面図上における外壁パネルの割り付けは、東立面図、西立面図、南立面図、北立面図のそれぞれにおいて実施する。図２に示すように、割付線６は、縦方向に延びた複数の縦割付線６ａと、横方向に延びた複数の横割付線６ｂとを含み、格子状をなしている。各格子は外壁パネルが配置される位置を示している。すなわち、割付図は、外壁パネルが配置される位置を示す図面である。
【００１７】
一つの格子は、一枚の外壁パネルを示している。行方向に並んだ格子には、Ａ〜Ｇ及びａ〜ｆ（図９参照）の符号が付されている。列方向に並んだ格子には、０〜１２の符号が付されている。これら符号によれば、それぞれの外壁パネルに対して、例えば（Ａ３）、（Ｂ６）というように固有の符号を付して（図２参照）、外壁パネルを識別することができる。よって、立面図上では、符号Ａ〜Ｃ及び符号１〜１２の組み合わせにより外壁パネルが識別される。
【００１８】
立面図に割付線を設定（Ｓ２）後、寸法を測定するための採寸基準線を設定する（Ｓ３）。採寸基準線には、建物１の全体の基準として設定される基本基準線と、個々の採寸を容易化するために設定される個別基準線とがある。この個別基準線は、図３に示すように、ベランダ４の近傍の割付線６や、建物１の主要部分を覆う大屋根７及び母屋から差し出して設けられた下屋８などの勾配が設定される箇所の近傍の割付線から選択される。なお、本実施形態では、簡易な構造の建物１を例示しているため、基本基準線のみを設定するものとする。
【００１９】
鉛直方向の基本基準線９として一つの縦割付線を選択する。基本基準線９として、例えば、Ａ列の外壁パネルの横辺を通る縦割付線を選択する。また、水平方向の基本基準線１０，１１として二つの横割付線を選択する。基本基準線１０には、例えば、一行目の外壁パネルと二行目の外壁パネルとの間の横割付線を選択する。また、本実施形態の建物１は二階建てであるので、もう一つの水平方向の基本基準線１１を選択する。基本基準線１１には、６行目の外壁パネルと７行目の外壁パネルとの間の横割付線を選択する。
【００２０】
採寸のための基本基準線９，１０，１１を設定（Ｓ３）後、同一平面にある二階壁を採寸予定図として指定する（Ｓ４）。図４に示すように、二階壁１２は、建物１において二階の主要な壁面を構成する壁であり、窓３のため開口１３が設けられている。ところで、立面図には、全体の形状が表れているいわゆる見え掛かりの壁と、隠れた部分を含む壁の一部とが示されている。例えば、この建物１の二階にはベランダ４が設けられているために、二階壁１２の上部が見え掛かり部１２ａとなり、二階壁１２の下部が隠れ部１２ｂとなっている。
【００２１】
二階壁１２を採寸予定図として指定する手順について詳細に説明する。ベランダ４に隠された隠れ部１２ｂの形状について、他の立面図及び平面図に基づいて確認する。この場合は、二階壁１２の下辺１２ｃの位置と、開口１３の形状とを確認する。その確認後、二階壁１２の４つの隅角部１２ｄ〜１２ｈを指定することにより、二階壁１２の採寸予定図１２Ｇの外形形状を指定する。その指定後、開口１３を指定して採寸予定図１２Ｇから開口１３をくり抜く。
【００２２】
二階壁１２を示す採寸予定図１２Ｇを指定（Ｓ４）後、採寸予定図１２Ｇを横方向に平行移動させて取り出す（Ｓ５）。図５に示すように、採寸予定図１２Ｇを、移動対象として選択する。その選択後、採寸予定図１２Ｇの全体が立面図に示された建物１と重ならない位置まで、採寸予定図１２Ｇを水平方向の基本基準線１１に沿って建物１の右側に平行移動させる。採寸予定図１２Ｇは、採寸予定図１２Ｇの隅角部１２ｆが、縦割付線６ｃと横割付線６ｄの交点と一致するように配置する。
【００２３】
続いて、ベランダ４の内側の腰壁１４を採寸予定図として指定する（Ｓ４）。ベランダ４の内側の腰壁１４は二階壁１２と対向する壁である。この場合のＳ４は、二階壁１２の採寸予定図１２Ｇを指定した手順と同様の手順に従って実施される。
【００２４】
この腰壁１４は立面図には表れないため、全体の形状は他の立面図及び平面図に基づいて確認する。その確認後、図６に示すように、腰壁１４の４つの隅角部１４ａ〜１４ｄを指定することにより腰壁１４の採寸予定図１４Ｇの外形形状を指定する。
【００２５】
腰壁１４を示す採寸予定図１４Ｇを指定（Ｓ４）後、採寸予定図１４Ｇを横方向に平行移動させて取り出す（Ｓ５）。この場合のＳ５は、二階壁１２の採寸予定図１２Ｇを取り出した手順と同様の手順に従って実施される。図７に示すように、採寸予定図１４Ｇを移動対象として選択する。その選択後、採寸予定図１４Ｇの全体が立面図に示された建物１と重ならない位置まで、採寸予定図１４Ｇを水平方向の基本基準線１１に沿って建物１の左側に平行移動させる。このとき、採寸予定図１４Ｇの隅角部１４ｃが、縦割付線６ｅと横割付線６ｆの交点と一致するように配置する。
【００２６】
続いて、図８に示すように、ベランダ４の外側の腰壁１６を採寸予定図１６Ｇとして指定し、一階壁１７を採寸予定図１７Ｇとして指定する（Ｓ４）。ベランダ４の外側の腰壁１６は、建物１の外側に露出した壁である。また、一階壁１７は、建物１において一階の主要な壁面を構成する壁であり、窓２のための開口１８が設けられている。この場合のＳ４は、上述した二階壁１２の採寸予定図１２Ｇ及び腰壁１４の採寸予定図１４Ｇを指定した手順と同様の手順に従って実施される。
【００２７】
腰壁１６及び一階壁１７の外形形状を確認する。腰壁１６及び一階壁１７は、一部又は全体が隠れることなく、立面図上で全体の形状が表されているので、この立面図に基づいて全体の形状を確認する。その確認後、腰壁１６の４つの隅角部１６ａ〜１６ｄを指定することにより、腰壁１６の採寸予定図１６Ｇの外形形状を指定する。また、一階壁１７の４つの隅角部１７ａ〜１７ｄを指定することにより、一階壁１７の採寸予定図１７Ｇの外形形状を指定する。一階壁１７は、窓２のための開口１８を有しているため、開口１８を指定して、採寸予定図１７Ｇから開口１８をくり抜く。
【００２８】
腰壁１６を示す採寸予定図１６Ｇと一階壁１７を示す採寸予定図１７Ｇとを指定（Ｓ４）後、採寸予定図１６Ｇ，１７Ｇを横方向に平行移動させて取り出す（Ｓ５）。この場合のＳ５は、二階壁１２の採寸予定図１２Ｇ及び腰壁１４の採寸予定図１４Ｇを取り出した手順と同様の手順に従って実施される。
【００２９】
図９に示すように、腰壁１６の採寸予定図１６Ｇを移動対象として選択する。その選択後、採寸予定図１６Ｇの全体が、立面図に示された建物１と先に取り出された採寸予定図１４Ｇに重ならない位置まで、採寸予定図１６Ｇを水平方向の基本基準線１１に沿って建物１の左側に平行移動させる。採寸予定図１６Ｇは、採寸予定図１６Ｇの左辺１６ｅが縦割付線６ｇと重なるように配置する。
【００３０】
一階壁１７の採寸予定図１７Ｇを移動対象として選択する。その選択後、一階壁１７の採寸予定図１７Ｇの全体が立面図に示された建物１と先に取り出された採寸予定図１２Ｇに重ならない位置まで、水平方向の基本基準線１０に沿って建物１の右側に採寸予定図１７Ｇを平行移動させる。採寸予定図１７Ｇは、採寸予定図１７Ｇの隅角部１７ｃが、縦割付線６ｃと横割付線６ｈの交点と一致するように配置する。以上の手順を実施することにより、腰壁１６の採寸予定図１６Ｇ及び一階壁１７の採寸予定図１７Ｇが取り出される。
【００３１】
以上のとおり、採寸予定図の指定（Ｓ４）と採寸予定図の取り出し（Ｓ５）とを繰り返すことにより、立面図から同一平面の壁である二階壁１２、ベランダ４の腰壁１４，１６及び一階壁１７が、それぞれ採寸予定図１２Ｇ，１４Ｇ，１６Ｇ，１７Ｇとして全て取り出される。
【００３２】
建築現場における採寸作業では、一の外壁パネルを規定する全ての辺の寸法を測定することは煩雑である。従って、鉛直方向の基本基準線９及び水平方向の基本基準線１０，１１の墨出しを行い、その墨出し線から寸法を測定する。そこで、基本基準線９，１０，１１を基準として採寸箇所を指定する（Ｓ６）。Ｓ６では、図１０に示すように、採寸箇所として、採寸予定図１２Ｇ，１４Ｇ，１６Ｇ，１７Ｇの外形形状を規定するために最低限必要な箇所を指定する。さらに、開口１３を有する採寸予定図１２Ｇ及び開口１８を有する採寸予定図１７Ｇの場合には、採寸箇所として、採寸予定図１２Ｇ，１７Ｇにおける開口１３，１８の位置及び形状を規定するために最低限必要な箇所を指定する。
【００３３】
二階壁１２の採寸予定図１２Ｇに採寸箇所を指定する手順について説明する。採寸予定図１２Ｇは、矩形の外形形状をなし、窓３のための開口１３を有している。
【００３４】
採寸予定図１２Ｇの外形形状を規定するために必要な採寸箇所を指定する。採寸予定図１２Ｇの採寸作業には、水平方向の基本基準線１１と鉛直方向の基本基準線９ａとを用いる。ここで、基本基準線９ａは縦割付線６ｃが選択されたものであり、基本基準線９に対応するものである。水平方向の基本基準線１１を起点として採寸予定図１２Ｇの上辺１２ｉまでを採寸箇所１９ａとして指定し、採寸予定図１２Ｇの下辺１２ｃまでを採寸箇所１９ｂとして指定する。また、鉛直方向の基本基準線９ａを起点として採寸予定図１２Ｇの右辺１２ｊまでを採寸箇所１９ｃとして指定する。
【００３５】
開口１３の位置及び形状を規定する為に必要な採寸箇所を指定する。水平方向の基本基準線１１を起点として開口１３の上辺１３ａまでを採寸箇所１９ｄとして指定する。その指定後、鉛直方向の基本基準線９ａを起点として開口１３の右辺１３ｂまでを採寸箇所１９ｅとして指定する。
【００３６】
腰壁１４の採寸予定図１４Ｇに採寸箇所を指定する手順について説明する。採寸予定図１４Ｇは、矩形の外形形状をなしている。水平方向の基本基準線１１を起点として採寸予定図１４Ｇの上辺１４ｅまでを採寸箇所２１ａとして指定し、採寸予定図１４Ｇの下辺１４ｆまでを採寸箇所２１ｂとして指定する。また、鉛直方向の基本基準線９ｂを起点として採寸予定図１４Ｇの右辺１４ｈまでを採寸箇所２１ｃとして指定する。ここで、基本基準線９ｂは縦割付線６ｅが選択されたものであり、基本基準線９に対応するものである。
【００３７】
腰壁１６の採寸予定図１６Ｇに採寸箇所を指定する手順について説明する。採寸予定図１６Ｇは、矩形の外形形状をなしている。水平方向の基本基準線１１を起点として採寸予定図１６Ｇの上辺１６ｆまでを採寸箇所２２ａとして指定し、採寸予定図１６Ｇの下辺１６ｈまでを採寸箇所２２ｂとして指定する。また、鉛直方向の基本基準線９ｃを起点として採寸予定図１６Ｇの右辺１６ｉまでを採寸箇所２２ｃとして指定する。
【００３８】
一階壁１７の採寸予定図１７Ｇに採寸箇所を指定する手順について説明する。一階壁１７の採寸予定図１７Ｇは、矩形の外形形状をなし、窓２のための開口１８を有している。採寸予定図１７Ｇの外形形状を規定するために必要な採寸箇所を指定する。採寸予定図１７Ｇの採寸作業には、水平方向の基本基準線１０と鉛直方向の基本基準線９ａとを用いる。水平方向の基本基準線１０を起点として採寸予定図１７Ｇの上辺１７ｅまでを採寸箇所２３ａとして指定し、採寸予定図１７Ｇの下辺１７ｆまでを採寸箇所２３ｂとして指定する。また、鉛直方向の基本基準線９ａを起点として採寸予定図１７Ｇの右辺１７ｈまでを採寸箇所２３ｃとして指定する。
【００３９】
開口１８の位置及び形状を規定する為に必要な採寸箇所を指定する。水平方向の基本基準線１０を起点として開口１８の上辺１８ａまでを採寸箇所２３ｄとして指定し、水平方向の基本基準線１０を起点として開口１８の下辺１８ｂまでを採寸箇所２３ｅとして指定する。その指定後、鉛直方向の基本基準線９ａを起点として開口１８の右辺１８ｃまでを採寸箇所２３ｆとして指定する。
【００４０】
以上のとおり、Ｓ１〜Ｓ６を実施することにより、採寸図５が作成される。
【００４１】
画面に表示された採寸図５をプリンター等により出力して、画面上の採寸図５が印刷された持出用採寸図を作成する。持出用採寸図に基づいて、建物１の建築現場で採寸箇所の寸法を測定する（Ｓ７）。より詳細には、建築現場で水平方向の基本基準線１０の墨出しを行う。その後、水平方向の基本基準線１１と、鉛直方向の基本基準線９の墨出し作業を行う。墨出し後に、持出用採寸図に示された採寸箇所１９ａ〜１９ｅ，２１ａ〜２１ｃ，２２ａ〜２２ｃ，２３ａ〜２３ｆの寸法の測定を実施する。測定された寸法値は、持出用採寸図にその都度記入される。
【００４２】
寸法値が記入された持出用採寸図をもとに加工図を作成する（Ｓ８）。加工図は、外壁パネルの割り付けの情報と、各外壁パネルの寸法の情報とを有している。持出用採寸図に記載された寸法値を画面に表示された採寸図５に入力すると、外壁パネルを構成する各辺の長さが自動的に計算され、加工図が作成される。
【００４３】
加工図に基づいて、それぞれの外壁パネル毎の寸法が指定された部品図が作成され、建物１の建築現場とは別の場所に設営された加工場において該部品図を用いた外壁パネルの切断加工が実施される。切断加工された外壁パネルは、建築現場に搬入され、印刷された施工図に基づいて該壁面に順次取り付けられる。なお、加工図には、採寸図５と同様に、行方向と列方向とのそれぞれに外壁パネルの取付位置を示す符号が付されている。また、切断作業と同時に、外壁パネルにも取付位置を示す行列の符号が付される。加工図に記載された符号と外壁パネルに付された符号とを一致させることで、切断加工された外壁パネルの取付位置を容易に特定することができる。従って、この加工図は、外壁パネルを施工する際に用いられる施工図として用いることができる。
【００４４】
本実施形態の採寸図の作成方法は、格子状に設定された割付線６から基本基準線９，１０，１１を選択するため、基本構造物を基準線として設定する方法と比較して基本基準線９，１０，１１の選択の自由度が高まる。このため、加工図を作成するために寸法測定が必要な箇所の構造に応じて、寸法測定がより容易に実施可能な採寸基準線を選択することができる。従って、寸法測定が簡易に実施できるように選択された基本基準線９，１０，１１に基づく寸法測定が可能となるため、採寸作業を効率化することができる。
【００４５】
また、同一平面にある二階壁１２を採寸予定図１２Ｇとして取り出し、腰壁１４，１６を採寸予定図１４Ｇ，１６Ｇとして取り出し、一階壁１７を採寸予定図１７Ｇとして取り出している。従って、採寸図５上で採寸予定図１２Ｇ，１４Ｇ，１６Ｇ，１７Ｇの全体形状を示すことが可能になる。これにより、全体形状が示されている腰壁１６及び一階壁１７の採寸予定図１６Ｇ，１７Ｇと、一部が隠れている二階壁１２の採寸予定図１２Ｇと、全体が隠れている腰壁１４の採寸予定図１４Ｇと、を一つの採寸図５上に示すことができる。従って、建物１の寸法測定に必要な図面の数を低減できるので、採寸作業を更に効率化することができる。
【００４６】
さらに、水平方向に採寸予定図１２Ｇ，１４Ｇ，１６Ｇを取り出した後であっても、採寸予定図１２Ｇ，１４Ｇ，１６Ｇの縦方向の寸法は基本基準線１１を基準として測定することができる。従って、共通する基本基準線１１に沿って取り出された各採寸予定図１２Ｇ，１４Ｇ，１６Ｇの寸法を、共通する基本基準線１１を基準として測定することができるので、採寸作業を更に効率化することができる。
【００４７】
本発明は、前述した実施形態に限定されるものではない。上記基本基準線９〜１１の選択は一例であり、この例に限定されるものではない。建物の階数等に応じて割付線６から任意に選択することができる。また、必要に応じてベランダ４、大屋根７及び下屋８を通る割付線、又はこれらの近傍を通る割付線から部分基準線を選択してもよい。
【００４８】
上述した実施形態では、二階壁１２、ベランダ４の内側の腰壁１４、ベランダ４の外側の腰壁１６、一階壁１７の順で採寸予定図の指定と取り出しとを実施したが、この順に限定されることはない。採寸予定図の指定と取り出しとは、任意の順で実施してもよい。
【００４９】
上述した実施形態では、全ての採寸予定図１２Ｇ，１４Ｇ，１６Ｇ，１７Ｇを取り出したが、採寸予定図の取り出しは、一部又は全体が隠れている壁を示す採寸予定図について実施すればよい。例えば、上述した採寸予定図１２Ｇ，１４Ｇ，１６Ｇ，１７Ｇのうち一部が隠れている二階壁１２の採寸予定図１２Ｇと、全体が隠れている採寸予定図１４Ｇとについて取り出しを実施すればよい。
【００５０】
上述した実施形態では、二階壁１２の採寸予定図１２Ｇと一階壁１７の採寸予定図１７Ｇとを建物１の右側に取り出し、ベランダ４の腰壁１４，１６を建物１の左側に取り出したが、この取り出し位置に限定されない。採寸予定図の大きさや形状等に基づいて、採寸指示を好適に配置できる位置に採寸予定図を配置すればよい。
【符号の説明】
【００５１】
１…建物、２，３…窓、４…ベランダ、５…採寸図、６…割付線、９，１０，１１…基本基準線、１２…二階壁、１４，１６…腰壁、１７…一階壁、１２Ｇ，１４Ｇ，１６Ｇ，１７Ｇ…採寸予定図、１９ａ〜１９ｅ，２１ａ〜２１ｃ，２２ａ〜２２ｃ，２３ａ〜２３ｆ…採寸箇所。
【図１】
2014066088.tif 000003
【図２】
2014066088.tif 000004
【図３】
2014066088.tif 000005
【図４】
2014066088.tif 000006
【図５】
2014066088.tif 000007
【図６】
2014066088.tif 000008
【図７】
2014066088.tif 000009
【図８】
2014066088.tif 000010
【図９】
2014066088.tif 000011
【図１０】
2014066088.tif 000012